(57)【要約】【課題】長年使用していると、塵や埃により水路が詰まり結露水があふれ出るという問題を解決し、特に塵や埃の侵入しやすい床置き型空気調和機にも適用可能な、結露水の処理を円滑にする構造を目的とする。【解決手段】空気調和機本体後板背面の下部に結露水を受ける背面露受皿を設け、該後板背面に付着し下降する結露水を該背面露受皿にて受け回収する構造とし、該後板背面の結露する部分および該背面露受皿を覆う様に、該後板背面の後部に保護板を配置することにより解決することができる。【効果】空気調和機本体に侵入しやすい塵や埃から、背面結露部分および、その露を処理する露受皿や水路部分を守り、塵や埃の侵入を防止することが可能となり、水路が塵や埃により詰まり結露水があふれ出ることは無くなった。特に床置き型空気調和機では効果が高い。【選択図】　図１
2004108711.tif 000002
【特許請求の範囲】
【請求項１】
少なくとも空気吸い込み口、空気吹き出し口、熱交換器および送風機を備え、本体筐体部の後板により通風路を形成した空気調和機において、該後板背面の下部に結露水を受ける背面露受皿を設け、該後板背面の後部に該後板背面の結露する部分および該背面露受皿を覆う様に保護板を配置したことを特徴とする空気調和機。
【請求項２】
請求項第１項において、該空気調和機を床置き型としたことを特徴とする空気調和機。
【請求項３】
請求項第１項、第２項において、該保護板を金属製にしたことを特徴とする空気調和機。
【請求項４】
請求項第１項、第２項において、該保護板を合成樹脂製にしたことを特徴とする空気調和機。
【請求項５】
請求項第１項、第２項、第３項、第４項において、該背面露受皿から、熱交換器下に配置した前面露受皿を結ぶ様にトイを設け、該背面露受皿で受けた結露水を、前面熱交換器下にまとめ、排水ホースを介して機外へ排水することを特徴とする空気調和機。
【請求項６】
請求項第１項、第２項、第３項、第４項、第５項において、該空気吸い込み口を１個、該空気吹き出し口を複数個設けたことを特徴とする空気調和機。
【請求項７】
請求項第６項において、複数個の該空気吹き出し口の通風路を、１つの該後板にて形成したことを特徴とする空気調和機。
【請求項８】
請求項第６項、第７項において、該空気吸い込み口の上下に２個の該空気吹き出し口を設けたことを特徴とする空気調和機。
【請求項９】
請求項第６項、第７項において、該空気吸い込み口の左右に２個の該空気吹き出し口を設けたことを特徴とする空気調和機。
【請求項１０】
請求項第１項から第９項において、該保護板を、該本体筐体部と該保護板のそれぞれに設けた突起部とへこみ部の噛み合わせ、もしくはネジによる締めこみ、もしくは該両方により、該本体筐体部に固定したことを特徴とする空気調和機。
【発明の詳細な説明】
【０００１】
【発明の属する技術分野】
本発明は空気調和機に係り、特に結露により付着した露の処理のための構造に関するものである。
【０００２】
【従来の技術】
後板背面に付く結露水を受ける背面露受皿に関する従来の技術は、例えば特許文献１に示されるように、空気調和機本体背面に付着した結露水を受ける背面下部の露受皿を一体に設けて合成樹脂製の本体の外箱を形成していた。
【０００３】
【特許文献１】
特開昭６０−２１３７４７号公報
【０００４】
【発明が解決しようとする課題】
従来の技術では、結露水を処理することが可能であるが、塵や埃の侵入については考慮されておらず、長年使用していると、塵や埃により水路が詰まり結露水があふれ出る可能性がある。壁掛け型の空気調和機においては、据付位置が部屋の上部であり、しかも壁に密着するため、特別考慮する必要はなかったが、特に床置き型の空気調和機においては、埃や塵が最も溜まり易い床面に直接据付するため、水路が詰まり結露水があふれ出る可能性が高い。この理由から、現在の床置き型空気調和機では、従来の技術は使用されておらず、後板の背面には断熱性の高い材質の発泡スチロール樹脂成形品やポリエチフォーム板等の断熱材を貼り付け結露水が付かない様にしている。この部品を貼りつけることはコスト面からも加工性の面からも大きな負担となっている。そこで、コスト低減および加工性の向上をはかり、しかも、埃や塵が溜らない後板背面の結露水処理構造にすることが求められている。
【０００５】
また、床置き型空気調和機は、床面に直接据付するため、外力を受ける可能性が高い。従来の技術を床置き型空気調和機に使用すると、合成樹脂製の本体筐体部を使用する必要があり、強度面には不安が残る。また、デザイン性および据付性の観点から製品の厚みをできるだけ薄くしたいというニースが高い。
【０００６】
【課題を解決するための手段】
本発明は、前記問題点を解決するもので、該後板背面の下部に結露水を受ける背面露受皿を設け、該後板背面に付着し下降する結露水を該背面露受皿にて受け回収する構造とし、該後板背面の結露する部分および該背面露受皿を覆う様に、該後板背面の後部に保護板を配置する。それにより、結露水を処理することが可能で、しかも、該後板背面および該背面露受皿は結露水の出口以外はほぼ密封状態にでき、該後板背面および該背面露受皿に埃や塵が入り込まない構造とすることができる。
【０００７】
また、該保護板を取付けることにより、合成樹脂製の本体筐体部を補強することができる。特に該保護板を金属製にすることにより、薄く強固にすることが可能となる。また、本体筐体部で十分な強度を確保できた場合は該保護板を合成樹脂製にすることにより、安価で密着性の高い保護板とすることができる。
【０００８】
また、本発明は、吹出し口が複数個有っても同様に後板背面に結露する露の処理を行うことができる。
【０００９】
【発明の実施の形態】
本発明の一実施例を図１から図３により説明する。
【００１０】
まず、図１により本発明の一実施例の構成を説明する。
【００１１】
本発明の一実施例は、上下に２つの吹き出しを設けた床置き型空気調和機である。図１は、空気調和機１０の通風路部の断面図を示したもので、前面中央部には吸い込み口１を設け、かつ該吸い込み口１の上部には上吹き出し口２ａ、下部には下吹き出し口２ｂを設けるとともに、該吸い込み口１の奥には熱交換器３を配置し、該熱交換器３の奥の上部には上送風機４ａ、奥の下部には下送風機４ｂを配置している。該上送風機４ａと該下送風機４ｂの奥には本体筐体部５が有り、吸い込み口１から熱交換器３、上送風機４ａおよび、本体筐体部５の後板６により上の通風路を形成し、吸い込み口１から熱交換器３、下送風機４ｂおよび、該本体筐体部５の後板６により下の通風路を形成している。熱交換器３の下には熱交換の際に発生する凝縮水を回収するための、前面露受皿７を設けている。後板６背面の下部には該後板６背面に結露した露を回収する背面露受皿８を本体筐体部５と一体成形にて設け、そして、該後板６背面の後部には該後板６背面の結露する部分および該背面露受皿８を覆う様に保護板９を配置している。なお、ファンモータ、電気品は図示していないが周知の如く具備しているものである。
【００１２】
このように構成された該空気調和機１０において、本体筐体部５の後板６背面全体に結露した露は該後板６の背面に沿って下降し、かつ、背面露受皿８に滴下され回収される。この際に保護板９は該後板６背面の結露する部分および該背面露受皿８を覆う様に配置しているため、埃や塵が入りやすい床置き型空気調和機の背面露受皿８であっても、埃や塵が該後板６背面および該背面露受皿８には、侵入せず、溜らない構造とした。
【００１３】
また、該保護板９の取り付け方法についても、本体筐体部５と該保護板９のそれぞれに設けた突起部５ａとへこみ部９ａの噛み合わせ、もしくはネジによる締めこみ、もしくは該両方により、該本体筐体部５に隙間が無いように固定している。
【００１４】
図２は、空気調和機１０の背面露受皿８で回収した結露水を、該背面露受皿８から前面露受皿７へ送る役割をするトイ１１の部分の断面図を示したもので、配置は図１と同じで、かつ背面露受皿８から前面露受皿７へ送る役割をするトイ１１を、該背面露受皿８から該前面露受皿７へ向かって設ける。また、該前面露受皿７から空気調和機１０の機外へ、凝縮水および結露水を排水する排水ホース１２を、該前面露受皿７から後下向きに設ける。
【００１５】
この構成により、後板６背面に結露した露は、埃や塵の影響を全く受けることなく、回収され、スムーズに排水することが可能となる。
【００１６】
図３は、図２の背面露受皿８付近の拡大図を示している。
【００１７】
また、先の文中に記載したとおり、本発明の一実施例として、保護板９を金属製にすることとする。床置き型空気調和機は、床面に直接据付するため、外力を受ける可能性が高い。また、デザイン性および据付性の観点から製品の厚みをできるだけ薄くしたいというニースが高い。そこで、合成樹脂製の本体筐体部５を補強することができる保護板９、特に該保護板９を金属製にすることにより、本体筐体部５を厚くすること無く、強固にすることが可能となる。
【００１８】
また、該本体筐体部５で十分な強度を確保できた場合は該保護板９を合成樹脂製にすることにより、安価で密着性の高い保護板９とすることができる。
【００１９】
【発明の効果】
以上、説明したように、本発明によれば、特に床面に据付する床置き型空気調和機では、床面近くで舞いやすく、侵入しやすい塵や埃から、背面結露部分および、その露を処理する露受皿や水路部分を守り、塵や埃の侵入を防止することが可能となり、水路が塵や埃により詰まり結露水があふれ出ることは無くなった。これにより、特に床置き型空気調和機では、不可能と思われ採用されていなかった、空気調和機本体背面に付着した結露水を受ける背面下部の露受皿を設けて、該露を空気調和機本体の外部に排水する構造を採用することができ、後板の背面に、断熱性の高い材質の発泡スチロール樹脂成形品やポリエチフォーム板等の断熱材を貼り付け結露水が付かない様にする必要がなくなった。これにより、コスト面、加工性の面から大きな負担となっていた断熱材の貼り付けが不要となった。また、床置き型空気調和機は、床面に直接据付するため、外力を受ける可能性が高いが、該保護板を取付けることにより、合成樹脂製の本体筐体部を補強することができる。特に該保護板を金属製にすることにより、本体筐体部を厚くすること無く、強固にすることが可能となった。また、該本体筐体部で十分な強度を確保できた場合は該保護板を合成樹脂製にすることにより、安価で密着性の高い保護板とすることができる。また、本発明は、吹出し口が複数個有っても同様に後板背面に結露する露の処理を行うことができる。
【図面の簡単な説明】
【図１】本発明の一実施例の床置き型空気調和機の構成図（断面図）。
【図２】本発明の一実施例の床置き型空気調和機の水処理部の構成図（断面図）。
【図３】本発明の一実施例の床置き型空気調和機の水処理部の構成図（拡大図・断面図）。
【符号の説明】
１…吸い込み口、２ａ…上吹き出し口、２ｂ…下吹き出し口、３…熱交換器、４ａ…上送風機、４ｂ…下送風機、５…本体筐体部、５ａ…本体筐体部の突起部、６…後板、７…前面露受皿、８…背面露受皿、９…保護板、９ａ…保護板へこみ部、１０…空気調和機、１１…トイ、１２…排水ホース。
【図１】
2004108711.tif 000003
【図２】
2004108711.tif 000004
【図３】
2004108711.tif 000005